(57)【要約】【課題】  カテーテル法の方法及びシステムを提供する。【解決手段】  カテーテル法の方法及びシステムは、生存被験者の心臓への挿入に適合された可撓性カテーテルを含む。カテーテルは、蠕動ポンプによって促進させられる導電性流体を通すためのルーメンを有する。ルーメンに接続された流体リザーバは、流体をカテーテルに供給する。心電図回路は、心臓内の電気活動を監視するために被験者に接続可能である。導電性ケーブルは、例えば短絡によって、流体内の誘導電荷をカテーテル電極から蠕動ポンプ内の回転要素へそらす。【選択図】  図１
2015006344.tif 000002
【特許請求の範囲】
【請求項１】
カテーテル法システムであって、
生存被験者の心臓への挿入に適合された可撓性カテーテルであって、遠位部分と、該遠位部分で前記カテーテルから出るように導電性流体を通すためのルーメンとを有し、該ルーメンが、洗浄ポンプに接続可能であり、それと流体連通を形成する、可撓性カテーテルと、
前記導電性流体を前記カテーテルに供給するために前記ルーメンに接続された流体リザーバと、
前記心臓内の電気活動を監視するために前記被験者に接続可能な心電図回路であって、入力部を有する、心電図回路と、
前記被験者と接触する電極に前記流体リザーバの前記導電性流体を結合する導電性ケーブルと、を備える、システム。
【請求項２】
前記カテーテルが、前記遠位部分上に配設されたマッピング電極を有し、前記電極が、前記カテーテル上で前記マッピング電極の近位に位置する、請求項１に記載のシステム。
【請求項３】
前記電極が、前記被験者の中に導入される第２のカテーテル上に位置する、請求項１に記載のシステム。
【請求項４】
前記カテーテルが、吸気口を有し、コネクタが、前記吸気口で前記導電性流体と電気的に接触し、かつ前記導電性流体を患者の接地点に接続する、請求項１に記載のシステム。
【請求項５】
前記導電性ケーブルが、前記洗浄ポンプの下流で前記導電性流体に電気的に接続される、請求項１に記載のシステム。
【請求項６】
前記導電性ケーブルが、金属的に遮蔽されたケーブルである、請求項１に記載のシステム。
【請求項７】
カテーテル法システムであって、
生存被験者の心臓への挿入に適合された可撓性カテーテルであって、遠位部分と、該遠位部分で前記カテーテルから出るように導電性流体を通すためのルーメンとを有する、可撓性カテーテルと、
前記導電性流体を前記カテーテルに供給するために油圧管路によって前記ルーメンに接続された流体リザーバと、
前記導電性流体を前記カテーテルの前記ルーメンに推進させるためのポンプであって、フレームと、前記油圧管路に作用する回転要素とを有する、ポンプと、
前記油圧管路内の前記導電性流体と前記回転要素との間の電気的接続を形成する導電性ケーブルと、を備える、システム。
【請求項８】
前記回転要素が、金属製である、請求項７に記載のシステム。
【請求項９】
前記回転要素が、セラミックから形成される、請求項７に記載のシステム。
【請求項１０】
前記回転要素が、ポリマーから形成される、請求項７に記載のシステム。
【請求項１１】
前記回転要素が、アセタールホモポリマーから形成される、請求項７に記載のシステム。
【請求項１２】
前記導電性ケーブルが、前記ポンプの前記フレームに接続する、請求項７に記載のシステム。
【請求項１３】
前記導電性ケーブルが、前記ポンプの前記回転要素に接続する、請求項７に記載のシステム。
【請求項１４】
前記回転要素が、非導電性である、請求項７に記載のシステム。
【請求項１５】
前記導電性流体との前記電気的接続が、前記ポンプから下流にある、請求項７に記載のシステム。
【請求項１６】
前記導電性流体との前記電気的接続が、前記ポンプから上流にある、請求項７に記載のシステム。
【請求項１７】
前記油圧管路の外表面の一部分が、帯電防止化学物質でコーティングされ、前記一部分が、前記外表面を前記ポンプの前記回転要素と接触させる、請求項７に記載のシステム。
【請求項１８】
前記油圧管路の外表面の一部分が、石鹸水、生理食塩水、及び水からなる群から選択される帯電防止化学物質でコーティングされ、前記一部分が、前記外表面を前記ポンプの前記回転要素と接触させる、請求項７に記載のシステム。
【請求項１９】
前記油圧管路の外表面の一部分が、導電体でコーティングされ、前記一部分が、前記外表面を前記ポンプの前記回転要素と接触させる、請求項７に記載のシステム。
【発明の詳細な説明】
【技術分野】
【０００１】
本発明は、医療カテーテル法に関する。より詳細には、本発明は、医療カテーテル法手術中の心電図監視に関する。
【背景技術】
【０００２】
本明細書内で使用する特定の頭字語及び略語の意味については、表１に示す。
【０００３】
【表１】
2015006344.tif 000003
【０００４】
医療カテーテル法は現在、日常的に実施されている。例えば、心房細動などの心臓不整脈の場合、これは、心臓組織の領域が電気信号を異常に伝導するときに生じる。不整脈治療の手順としては、不整脈の原因となっている信号源を外科的に遮断する工程、並びにそのような信号の伝達経路を遮断する工程が挙げられる。カテーテルを介してエネルギー、例えば、高周波エネルギーを適用することにより、心臓組織を選択的にアブレーションすることによって、心臓の一部分から別の部分への望ましくない電気信号の伝播を停止又は変更することが時として可能である。このアブレーション処理は、非導電性の損傷部位を形成することによって望ましくない電気経路を破壊するものである。
【０００５】
心臓組織のアブレーションにおける高周波エネルギーの使用について知られている難点の１つとして、組織の局所的な加熱を制御することである。異常な組織病巣を効果的にアブレーションするうえで、又は異常な伝導パターンを遮断するうえで充分に大きな損傷部位を形成しようとする要求と、過度の局所的加熱の望ましくない効果とは矛盾するものである。高周波装置によって形成される損傷部位が小さすぎる場合には、その医療処置の効果が低くなるか、又は時間がかかりすぎる可能性がある。これに対して、組織が過度に加熱される場合には、過熱による局所的な炭化作用が生じる可能性がある。そのような過熱された領域は、高インピーダンスを発生させ得るものであり、また熱の通過に対する機能的障害を形成することがある。よりゆっくりとした加熱を用いると、アブレーションを制御しやすくなる一方で手術が不要に長引くことになる。参照により本明細書に援用される、本願と同一譲受人に譲渡された出願第１３／３３９，７８２号は、アブレーション部位を冷却するために、カテーテルのルーメンを通って洗浄液を流れさせる洗浄ポンプの使用を開示している。
【発明の概要】
【課題を解決するための手段】
【０００６】
カテーテル法システムが本発明の実施形態に従って提供され、これは、蠕動ポンプがアブレーション部位を洗浄するように動作しているときに、電気監視回路内のスプリアス電気的干渉を回避する。本システムは、生存被験者の心臓への挿入に適合された可撓性カテーテルを含む。カテーテルは、その遠位部分でカテーテルから出るように導電性流体を通すためのルーメンを有し、該ルーメンは、洗浄ポンプに接続可能であり、それと流体連通を形成する。流体リザーバは、導電性流体をカテーテルに供給するためにルーメンに接続される。心電図回路は、心臓内の電気活動を監視するために被験者に接続可能である。導電性ケーブルは、被験者と接触する電極に導電性流体を結合する。
【０００７】
本システムの一態様によれば、カテーテルは、遠位部分上に配設されたマッピング電極を有し、電極は、カテーテル上でマッピング電極の近位に位置する。
【０００８】
本システムの更なる態様によれば、電極は、被験者の中に導入される第２のカテーテル上に位置する。
【０００９】
本システムの１つの態様によれば、カテーテルは、吸気口を有し、コネクタが、該吸気口で導電性流体と電気的に接触し、かつ導電性流体を患者の接地に接続する。
【００１０】
本システムの別の態様によれば、導電性ケーブルは、洗浄ポンプの下流で導電性流体に電気的に接続される。
【００１１】
本システムの更なる態様によれば、導電性ケーブルは、金属的に遮蔽されたケーブルである。
【００１２】
生存被験者の心臓への挿入に適合された可撓性カテーテルを含むカテーテル法システムが本発明の実施形態に従って提供される。カテーテルは、その遠位部分でカテーテルから出るように導電性流体を通すためのルーメンを有する。流体リザーバは、導電性流体をカテーテルに供給するために油圧管路によってルーメンに接続される。本システムは、導電性流体をカテーテルのルーメンに推進させるためのポンプを含む。ポンプは、油圧管路に作用する回転要素を有する。導電性ケーブルは、油圧管路内の導電性流体と回転要素との間の電気的接続を形成する。
【００１３】
本システムの更なる態様によれば、回転要素は、金属製である。
【００１４】
本システムの別の態様によれば、回転要素は、セラミックから形成される。
【００１５】
本システムの更に別の態様によれば、回転要素は、ポリマーから形成される。
【００１６】
本システムの更に別の態様によれば、回転要素は、アセタールホモポリマーから形成される。
【００１７】
本システムの更に別の態様によれば、導電性ケーブルは、ポンプのフレームに接続する。
【００１８】
本システムの更に別の態様によれば、導電性ケーブルは、ポンプの回転要素に接続する。
【００１９】
本システムの更なる態様によれば、回転要素は、非導電性である。
【００２０】
本システムの１つの態様によれば、導電性流体との電気的接続は、ポンプから下流にある。
【００２１】
本システムの更なる態様によれば、導電性流体との電気的接続は、ポンプから上流にある。
【００２２】
本システムの１つの態様によれば、油圧管路の外表面の一部分は、帯電防止化学物質でコーティングされ、この一部分が、外表面をポンプの回転要素と接触させる。
【００２３】
本システムの１つの態様によれば、油圧管路の外表面の接触部分は、石鹸水、生理食塩水、及び水からなる群から選択される帯電防止化学物質でコーティングされる。
【００２４】
本システムの更なる態様によれば、油圧管路の外表面の接触部分は、導電体でコーティングされる。
【００２５】
電気活動を監視するための方法が本発明の実施形態に従って更に提供され、これは、導電性流体のリザーバを、回転要素を有する蠕動ポンプに接続する工程によって実施され、蠕動ポンプが油圧管路を通って導電性流体を流れさせるように油圧管路に力を及ぼす。本方法は、心電図回路を被験者に接続する工程と、導電性流体と蠕動ポンプとの間の電気的接続を形成する工程と、蠕動ポンプの動作中に、心電図回路で被験者の心臓内の電気活動を監視する工程とによって更に実施される。
【００２６】
本方法の更に別の態様では、油圧管路の一部分は、導電体でコーティングされ、この一部分が回転要素と接触する。
【００２７】
本方法の更に別の態様によれば、導電体は、インジウムスズ酸化物である。
【００２８】
本方法の更なる態様によれば、導電体は、アルミニウム箔である。
【００２９】
本方法の更なる態様では、油圧管路の接触部分の外表面は、液体水及びイオン性界面活性剤を含有する材料でコーティングされる。
【００３０】
本方法の更なる態様は、帯電防止化学添加物で油圧管路の一部分の外表面をコーティングする工程を含む。
【００３１】
本方法の更に別の態様によれば、油圧管路の接触部分には、帯電防止化学物質が含浸される。
【００３２】
本方法の１つの態様によれば、油圧管路の外表面の一部分は、帯電防止化学物質でコーティングされ、回転要素と接触する一部分を含む。
【図面の簡単な説明】
【００３３】
本発明をより深く理解するため、発明の詳細な説明を実例として参照するが、発明の詳細な説明は、同様の要素に同様の参照番号を付した以下の図面と併せ読むべきものである。
【図１】本発明の実施形態に従って構成され、動作可能である、生存被験者の心臓に対してカテーテル法手術を行うためのシステムの模式図である。
【図２】本発明の一実施形態に従う、動作中に生じる電気的事象を説明する心臓カテーテル法の洗浄システムの態様の概略図である。
【図３】本発明の一実施形態に従う、心電図ノイズの低減を測定するための検査配置構成の概略図である。
【図４】本発明の一実施形態に従って構築される流体と電気ケーブルとの間の電気的導通を確立するためのコネクタの概略図である。
【図５】本発明の代替的実施形態に従う、心電図ノイズを低減するためのシステムの概略図である。
【図６】本発明の一実施形態に従う、図５に示されるシステムが動作中であるときの記録されたＥＣＧデータの３つのチャートを示す。
【図７】本発明の代替的実施形態に従う、心電図ノイズを低減するためのシステムの概略図である。
【図８】本発明の代替的実施形態に従う、注入システムの概略図である。また、
【図９】本発明の代替的実施形態に従う、注入システムの配置構成の概略図である。
【発明を実施するための形態】
【００３４】
以下の説明では、本発明の様々な原理の深い理解を与えるため、多くの具体的な詳細について記載する。しかしながら、これらの詳細は、必ずしも、本発明の実施のために常にすべてが必要とされるものではない点は当業者には明らかであろう。この場合、一般的な概念を不要に曖昧にすることのないよう、周知の回路、制御論理、並びに従来のアルゴリズム及び処理に対するコンピュータプログラム命令の詳細については詳しく示していない。
【００３５】
本発明の態様は、典型的には、コンピュータ可読媒体などの永久記憶装置内に維持される、ソフトウェアプログラミングコードの形態で具体化することができる。クライアント／サーバー環境において、このようなソフトウェアプログラミングコードは、クライアント又はサーバーに記憶され得る。ソフトウェアプログラミングコードは、ＵＳＢメモリー、ハードドライブ、電子媒体、又はＣＤ−ＲＯＭなどの、データ処理システムと共に使用するための様々な既知の非一時的媒体のうちのいずれに対しても具現化され得る。コードはこのような媒体上で配線でき、又は１つのコンピューターシステムのメモリー又は記憶装置からある種のネットワークを介して、別のコンピューターシステムのユーザーが使用するために、該別のシステム上の記憶装置に配線され得る。
【００３６】
定義
「ノイズ」は、信号の明瞭度を曖昧にするか、又は低減するランダムかつ持続的な障害を含む障害である。
【００３７】
システムの説明
ここで図面を参照し、図１を最初に参照すると、この図１は、本発明の開示される実施形態に従って構築され、動作可能である、生存被験者の心臓１２に対して例示的なカテーテル法手術を行うためのシステム１０の模式図である。このシステムは、患者の血管系を通じて、心臓１２のチャンバ又は血管構造内に操作者１６によって経皮的に挿入されるカテーテル１４を備えている。一般的には医師である操作者１６は、カテーテルの遠位先端部１８を心臓壁のアブレーション標的部位と接触させる。続いて、電気活性化マップ、解剖位置情報（カテーテルの遠位部分のもの）、及び他の機能的な画像は、その開示内容が本明細書において参照によって援用されている米国特許第６，２２６，５４２号、同６，３０１，４９６号、及び共通に割り当てられた米国特許第６，８９２，０９１号において開示されている方法に従い、コンソール２４内に位置するプロセッサ２２を用いて作成され得る。システム１０の要素を具現化した一商品は、３３３３  Ｄｉａｍｏｎｄ  Ｃａｎｙｏｎ  Ｒｏａｄ，Ｄｉａｍｏｎｄ  Ｂａｒ，ＣＡ  ９１７６５のＢｉｏｓｅｎｓｅ  Ｗｅｂｓｔｅｒ，Ｉｎｃ．から入手可能なＣＡＲＴＯ（登録商標）３システムとして入手可能であり、本商品は、必要に応じて心臓の電気解剖学的マップを生成することができる。このシステムは、本明細書に記載される本発明の原理を具現化するように、当業者によって変更されることができる。
【００３８】
例えば電気的活性化マップの評価によって異常であると判定された区域は、熱エネルギーの適用によって、例えば、心筋に高周波エネルギーを印加するように高周波（ＲＦ）発生装置４０からカテーテル内のワイヤーを通って遠位先端部１８の１つ以上の電極に高周波電流を通すことによってアブレーションされてもよい。このエネルギーは、組織内に吸収され、その組織が永久にその電気興奮性を失う時点（典型的には、約５０℃）まで、その組織を加熱する。支障なく行われた場合、この手術によって心臓組織に非伝導性の損傷部位が形成され、この損傷部位が不整脈を引き起こす異常な電気経路を遮断する。
【００３９】
カテーテル１４は通常、アブレーションを行うために操作者１６が必要に応じてカテーテルの遠位端を方向転換、位置決め、及び方向決めすることを可能とする適当な制御部を有するハンドル２０を備えている。操作者１６を支援するために、カテーテル１４の遠位部分は、コンソール２４内に設置された位置決定プロセッサ２２に信号を提供する、位置センサー（図示せず）を収容する。
【００４０】
アブレーションエネルギー及び電気信号は、コンソール２４へのケーブル３４を介して、カテーテル先端部、及び遠位先端部１８又はその付近に位置するアブレーション電極３２を通って心臓１２に及びその心臓から伝達されてもよい。ペーシング信号及び他の制御信号はまた、コンソール２４からケーブル３４及びアブレーション電極３２を通って心臓１２に伝達されてもよい。コンソール２４にも接続される感知電極３３は、アブレーション電極３２とケーブル３４との間に配設される。
【００４１】
コンソール２４は、ワイヤー接続３５によって身体表面電極３０、及び位置決定サブシステムの他の構成要素と接続されている。電極３２及び身体表面電極３０は、米国特許第７，５３６，２１８号（Ｇｏｖａｒｉら）に教示されるように、アブレーション部位での組織インピーダンスを測定するために使用されてもよく、これは参照により本明細書に援用される。温度センサー（図示せず）、典型的には、熱電対又はサーミスタは、電極３２の各々に又はその付近に載置されてもよい。
【００４２】
コンソール２４には通常、１以上のアブレーション電力発生装置２５が収容されている。カテーテル１４は、高周波エネルギーを使用して心臓にアブレーションエネルギーを伝導するように適合されてもよい。このような方法は、本明細書に援用するところの本願と同一譲受人に譲渡された米国特許第６，８１４，７３３号、同第６，９９７，９２４号、及び同第７，１５６，８１６号に開示されている。
【００４３】
位置決めプロセッサ２２は、カテーテル１４の位置及び方向座標を測定する、システム１０における位置決めサブシステムの要素である。
【００４４】
一実施形態では、この位置決めサブシステムは、磁場生成コイル２８を使用して、既定の作業体積内に磁場を生成し、カテーテルでのこれらの磁場を感知することによって、カテーテル１４の位置及び配向を判定する、磁気位置追跡の配置構成を含む。位置決定サブシステムは、例えば、参照により本明細書に組み込まれる米国特許第７，７５６，５７６号、及び上記の米国特許第７，５３６，２１８号に教示されているインピーダンス測定を使用することができる。
【００４５】
上述したように、カテーテル１４はコンソール２４に連結され、これにより操作者１６がカテーテル１４の機能を観察及び調節できるようになっている。プロセッサ２２は典型的に、適切な信号処理回路を有するコンピュータである。プロセッサ２２は、モニター２９を駆動するように連結される。信号処理回路は一般的に、カテーテル１４の遠位側に配置された上述のセンサー及び複数の位置感知電極（図示せず）によって生成される信号を含むカテーテル１４からの信号を、受信、増幅、フィルタリング、及びデジタル化する。デジタル化された信号は、カテーテル１４の位置及び配向を計算し、電極からの電気信号を分析し、かつ所望の電気解剖学的マップを生成するようにケーブル３８を介して受信され、コンソール２４及び位置決めシステムによって使用される。
【００４６】
システム１０は、１つ以上の身体表面電極からの信号を受信するように接続された心電図（ＥＣＧ）モニター３７を含むことができる。ＥＣＧ信号は典型的に、コンソール２４を有するインタフェース、例えば、アナログ入力部を有する患者インタフェースユニット４２を通じて受信され、絶縁された接地は、ＥＣＧ同期信号をコンソール２４に提供するために使用される。
【００４７】
導電性流体、例えば、生理食塩水、乳酸リンゲル液は、リザーバ４６から油圧管路４８を介してカテーテル１４内のルーメン４４を通じて運ばれる。導電性流体は、便宜上、本明細書では「生理食塩水」と称されることもあり、これは例示であり、限定のためではないことが理解される。ルーメン４４は、液体が電極３２及びアブレーション部位を冷却するために現れる出口孔５０で終端する。蠕動ポンプ５２は、油圧管路４８に接続され、所望の速度で入口ポート５４を通ってカテーテル１４に流体を運ばせる。このような配置構成の難点の１つは、環境内の装置の動作、例えば、ポンプ５２が、油圧管路４８によって捕捉され得、かつモニター３７上にＥＣＧの分析及び表示を妨げ得るノイズを生成する電気的影響をもたらすことである。
【００４８】
電気的放出又は信号は通常、導電性溶液で輸血され、又は注入されている患者に接続されたＥＣＧリード線で観察される。この電位の結果として患者の体内に流れるあらゆる電流は、ＥＣＧ信号に加えられた特徴的なノイズとして感知される。
【００４９】
このノイズは、心臓不整脈を治療するのに使用されるアブレーションカテーテルの心臓補助、透析治療、及び洗浄のために蠕動ポンプに接続された患者で観察された。多くの発生源がノイズの発生源として提案され、一部がポンプ自体に注目する。
【００５０】
任意の特定の理論に束縛されるものではないが、以下の考察は、本明細書に開示される実施形態の理解を容易にするために提供される。
ある点において、油圧管路４８は、周囲の環境からノイズを集める受信アンテナとして機能することができ、ノイズの１つの発生源を構成することができる。
【００５１】
別の点において、ポンプは、摩擦電気効果によって形成される電気ノイズの別の発生源であり得、それによって誘導電荷が、ポンプに使用される可撓性管の表面上及び管を圧縮するために使用されるロータ表面の表面上に形成される。管表面に対するロータの摩擦又は変形動作は、電荷を偏位する。電荷の一部がロータ上に集められ、一部が管表面上に集められる。管壁は、管内の流体が導電体である場合に管の外表面上の外部電荷が管孔の内側に誘導されるように、概ね絶縁体である。その結果、起動電位が、導電性流体とパンプロータとの間に現れる。これらの２つの点を接続するあらゆる電気回路により、電流が流れることを可能にする。このような電流は、ＥＫＧ回路によって感知又は遮断される場合、ＥＫＧトレーシングに望ましくない、操作者によって「ＥＣＧノイズ」と認識される信号を生成する。摩擦電気電位が概ね絶縁体（プラスチック）である外部及び内部管壁の静電容量と直列に現れるため、摩擦電気電流は、バースト性の特性を有する。
【００５２】
加えて又はあるいは、観察された電流は、管壁内の圧電効果から生じ得る。
【００５３】
更に加えて又はあるいは、ロータのローラとポンプのレースとの間で圧力をかけられるときに管壁の動作から生じる強い増幅機構であるように見受けられ、摩擦電気電荷と直列である管の静電容量の動的変化を引き起こす。
【００５４】
ノイズは、ＥＣＧリード線上で観察されるように、スパイクとして現れ、ＥＣＧ信号を解釈するのを困難にし、これらのスパイクは、ＥＣＧ波形自体として更に混同され得る。加えて、そのパワースペクトルを得るためにノイズに適用された高速フーリエ変換は、より高い高調波と共に管表面へのロータのローラ（Ｎ）の衝突速度に等しい、繰り返し周波数で成分の正弦波を見出す。繰り返し周波数は、ロータ内のローラの数に依存し、ロータ回転速度自体と区別される。
【００５５】
第１の実施形態
一実施形態では、本発明者らは、電解液間、例えば、蠕動ポンプ間で導電性ワイヤー５６を接続することが電気的干渉の著しい低減をもたらすことを見出した。
【００５６】
動作領域で導電体の数を最小限にするために、ワイヤー５６は、リザーバ４６から通じる油圧管路４８に組み込まれてもよい。
【００５７】
ここで図２を参照すると、この図２は、心臓カテーテル法の洗浄システム５８の態様の概略図であり、システム５８が医療処置に使用されるときに生じる特定の電気的事象を説明し、かつ本発明の実施形態に従って修正される。
【００５８】
システム５８では、点滴（Ｉ．Ｖ．）ボトル又はリザーバ６２内に保管された生理食塩水６０は、典型的にポリ塩化ビニル（ＰＶＣ）管である管６６を通って蠕動ポンプ６４によって推進される。ポンプ６４は、金属ロータ又はレース、及び金属ベアリング、例えば、ローラベアリングを典型的に含む回転接点６８を備える。流体は、管６６を通って、それ故にカテーテル７０を通って続き、様々な電極が配設されるその遠位区分７２で終端し、感知電極７４と、アブレーション電極７６とを含む。
【００５９】
特にポンプ６４の回転接点６８が管６６を圧縮するシステム５８の部分で摩擦電気効果が生じ、これは、摩擦電気電荷を生理食塩水６０に蓄積させる。電荷は、管６６を通って流れ、下流に伝播し、アブレーション電極７６を通って回路を形成し、図２に示されるように患者の身体を介してポンプ６４に戻る。洗浄システムにおける摩擦電気発生装置は、心電図に見られるスプリアス信号の一因となると考えられている。摩擦電気発生装置のあらゆる障害又は閉ループ発生装置の電流の遮断若しくは転換は、それがＥＣＧ電極を通過しないように、このノイズを様々な程度まで抑制するのに十分である。
【００６０】
生理食塩水と周囲の導電体との間に生成される電位を最小限にし、それによってスプリアス信号を軽減するいくつかの手法がある。
【００６１】
１）一般的に、成分間の静電容量は、一般的な静電容量等式で任意又は全てのパラメータを調節することによって低減されてもよい。
Ｃ＝ｅ０＊ｅＲ＊（ＥｆｆｅｃｔｉｖｅＡｒｅａ／ＥｆｆｅｃｔｉｖｅＳｅｐａｒａｔｉｏｎ）であり、
式中、Ｃは、静電容量であり、ｅ０は、真空誘電率であり、ｅＲは、管の外部境界と生成された電荷の帰還路を構成する任意の導電体との間に配置された絶縁体又は半絶縁体の比誘電率である。これらの導電体の実効面積（ＥｆｆｅｃｔｉｖｅＡｒｅａ）は、成分の実効電気表面積であり、実効分離（ＥｆｆｅｃｔｉｖｅＳｅｐａｒａｔｉｏｎ）は、電荷分離によって誘導された電場に平行かつ前記電荷が存在する表面積の平面に垂直に測定された実効距離である。
【００６２】
金属ローラベアリング及びレースをセラミック又はポリマーなどの非導電性等価物と置き換えることは、共通のセラミック誘電体のために大数（＞１０００）から１〜１１にｅＲを低減させる。一例として、レースは、Ｄｅｌｒｉｎ（登録商標）と置き換えられ得るものであり、これは、Ｗｉｌｍｉｎｇｔｏｎ，ＤＥ  １９８９８のＥ．Ｉ．ＤｕＰｏｎｔ  ｄｅ  Ｎｅｍｏｕｒｓ  ＆  Ｃｏ．から入手可能である。Ｄｅｌｒｉｎは、約２．５のｅＲ値を有する丈夫な「非消耗性」アセタールホモポリマーである。レースが厚いほど静電容量が低い。ローラベアリングをプラスチック又はセラミックと置き換えることはまた、同じ静電容量の低減を達成する。鋼ローラが回転する空洞をセラミックの窪みと置き換えることであっても、静電容量を低減する。
【００６３】
ＰＶＣ管の物理組成又は化学組成を変えることは、電荷分離を抑制することができる。管を形成する押出プロセスは、ＰＶＣ分子ストランドを配向及び整列する効果を有する。この種の整列された固体は、圧電特性を有し、機械的圧縮から電荷を生成することができる。熱処理プロセスを通じて分子ストランドを無作為化すること、又は導電性材料をＰＶＣに添加することによって、電荷分離電位は、それを生成する物理的プロセスを防ぐことによって、又はそれを効果的に短絡することによって大いに軽減され得る。
【００６４】
観察された電荷蓄積のための生成的成分はまた、電気双極子層の崩壊に関連する可能性があり、これは、ローラがゼータ電位を変える管の壁を粉砕するときに、生理食塩水とプラスチック管壁との間の界面で形成する。この影響に対処するために、管孔の内側に適用された表面処理は、双極子層の初期の形成を抑制するように操作され得る。例えば、高対称性化学構造又は非常に長く荷電されていないアルキル鎖は、正常に形成する通常の短い高極性イオン双極子を、効果的に弱めるであろう。双極子強度は、ポンプでのイオン強度又は生理食塩水の重量モル濃度を減少させることによって弱められてもよいが、これは、それがヒトの生理的要求を満たすために複合混合成分を含むため不都合である。
【実施例】
【００６５】
ここで図３を参照すると、この図３は、本発明の一実施形態に従う、ＲＦ信号発生装置を使用する検査配置構成１１４の概略図である。生理食塩水を含む点滴静注パック１１６は、上述されるように、電解質流体リザーバを構成する。滴下チャンバ１１２の下流の管路１２４から通じる電気ケーブル１１８は、水槽１５０内の生理食塩水１３８に接続される。生理食塩水は、滴下チャンバ１１２からコネクタ１２０を通って流れて管路１２４に達し、ケーブル１１８と電気的に接触する。管路１２４は、コネクタ１２０からポンプ１２６に延在する。
【００６６】
油圧管路１２４、１２８は、点滴静注パック１１６及びポンプ１２６を相互接続する。電線路１３０は、ハンドル１３２及びカテーテル１３４をＲＦ発生装置１３６と接続する。管路１２８は、ポンプ１２６からカテーテル１３４のハンドル１３２に延在する。カテーテル１３４の遠位端は、ヒトの被験者を模倣する生理食塩水１３８を含む水槽１５０の中に挿入される。
【００６７】
検査システム１４０は、ディスプレイ１４４に接続されるＥＣＧ回路１４２を含む。４つのＥＣＧリード線１４６は、ＥＣＧ回路１４２に、及び生理食塩水１３８と接触する水槽１５０の内面に載置される金属パッチ１４８に接続される。電気ケーブル１１８は、点滴静注パック１１６を水槽１５０内の生理食塩水１３８に接続する。
【００６８】
ここで図４を参照すると、この図４は、本発明の一実施形態に従って構築される、コネクタ１２０（図３）の概略図である。コネクタ１２０は、外側金属シェル１５４と、導電性ネット又はスポンジ１５６で満たされたルーメンとを有する管状である。スポンジ１５６は、コネクタ１２０のルーメン内に流れる生理食塩水と広範な物理的接触を確保し、そのコンダクタンスを増大する。電気コネクタ１５８は、ルーメン内の生理食塩水とスポンジ１５６とケーブル１１８との間に電気的導通が存在するように、金属シェル１５４上に提供される。
【００６９】
第２の実施形態
ここで図５を参照すると、この図５は、本発明の代替的実施形態に従う、心電図ノイズを低減するためのシステム１７８の概略図である。この実施形態では、リザーバ２２０内の電解質含有流体は、ポンプ２２４によって血管内カテーテル２２２の中に注入され、例えば、肢部、被験者１８０の身体の他の一部分、又は患者の接地に取り付けられた身体表面電極パッド又は針電極１８４を使用して、コネクタ２２６及び導電性ケーブル１８２によって被験者１８０に電気的に接続される。コネクタ２２６は、コネクタ１２０（図４）と同じ構造を有することができる。ケーブル１８２は遮蔽されてもよい。コネクタ２２６は、油圧管路２２８内、又はリザーバ２２０から下流の活栓上に配置される。好ましくは、コネクタ１５８は、ポンプ２２４の下流に配設される。
【００７０】
ここで図６を参照すると、この図６は、本発明の代替的実施形態に従う、システム１７８（図５）が動作中であるときに記録されたＥＣＧデータを提示する。データは、ＣＡＲＴＯ  ３システム、ＮａｖｉＳｔａｒ（登録商標）ＴｈｅｒｍｏＣｏｏｌ（登録商標）カテーテル、及びＳｍａｒｔＡｂｌａｔｅ（商標）ポンプ（Ｃｏｒｄｉｓ  Ｃｏｒｐｏｒａｔｉｏｎから入手可能）を使用して記録された。ＲＦアブレーション発生装置は稼働中ではなかった。図３を参照して上述されるように、水槽は、患者をシミュレーションするために使用された。
【００７１】
ＥＣＧストリップ２３２は、ケーブル１８２の取り付け前の基線トレーシングである。バックグラウンドノイズは、約０．０２ｍＶの大きさで示される。
【００７２】
ＥＣＧストリップ２３４では、ポンプは稼働中である。ノイズは、約０．０７ｍＶの値まで増大した。
【００７３】
ＥＣＧストリップ２３６では、ポンプは動作中のままである。ケーブル１８２は接続され、それによって生理食塩水の浴槽水への洗浄管内の生理食塩水を短絡する。ノイズレベルは、約０．０２ｍＶの基線値まで戻った。
【００７４】
第３の実施形態
ここで図７を参照すると、この図７は、本発明の代替的実施形態に従う、心電図ノイズを低減するためのシステム１８８の概略図である。図７における配置構成は、図５のものと類似する。しかしながら、ここでワイヤー２３８はコネクタ２２６から、電極３２及び３３に近位するがカテーテル２２２上、例えば下大静脈内に位置する、電極２４０に延在する。
【００７５】
あるいは、電極２４０は、被験者の中に、例えば、血管系又は胃腸管の中に導入された、第２のカテーテル（図示せず）上に配設されてもよい。ワイヤー２３８は、準用して電極２４０に再経路決めされる。
【００７６】
第４の実施形態
ここで図８を参照すると、この図８は、本発明の代替的実施形態に従う、注入システムの配置構成２０４の概略図である。この実施形態では、管２０６内の生理食塩水溶液２０５は、コネクタ２１２から金属ロータ２１４又はポンプ２０８内のローラに延在するワイヤー２１０を使用して蠕動ポンプ２０８に短絡される。ワイヤー２１０は、管２０６を通ってポンプ２０８によって推進される生理食塩水溶液２０５を電気的に接続し、それによって摩擦発生装置を短絡する。あるいは、この接続は、内面が生理食塩水と接触し、かつ身体がポンプロータの反流側に接続される導電性ニップルによって実現されてもよい。ＥＣＧデータは、カテーテル２４２上の電極２４１からコンソール１８６内のＰＩＵ入力部１０２を介して得られる。
【００７７】
配置構成２０４は、図３に示される検査配置構成に類似する患者組織モデルの代わりに生理食塩水を使用して検査された。洗浄蠕動ポンプは、ニップルに接続され、かつ患者の身体内の洗浄されたカテーテルに更に取り付けられた管を通る正常な生理食塩水を押し出す。カテーテル内の生理食塩水チャネルを通って、及び患者の中に流れる電流は、ＥＣＧノイズ信号の発生源である。
【００７８】
第５の実施形態
ここで図９を参照すると、この図９は、本発明の代替的実施形態に従う、注入システムの配置構成２１６の概略図である。配置構成２１６は、配置構成２０４（図８）に類似する。しかしながら、発生装置の電位を短絡することは、ポンプ２０８と滴下チャンバ１１２との間の電気的接続、又はワイヤー２１８によって、若しくは導電性ニップルによってポンプの入力部側を供給する他の流体源を形成することによって達成される。ロータ又はポンプフレームへの管２０６内の生理食塩水を短絡することによって、発生装置の電位は、前の実施形態と同様に出力部側ではなくポンプ２０８の入力部側上で効果的に短絡される。
【００７９】
第６の実施形態
再び図９を参照すると、上述される実施形態は、管の表面電荷を軽減することによって更に修正され得る。これを達成するための１つの手法は、液体水及びその水をわずかに導電性にし、かつ管表面を親水性にするイオン性界面活性剤を含有する任意の材料で管又は油圧管路の外表面をコーティングすることによるものである。コーティングは、管の外側で生理食塩水、手洗い石鹸、又は電極ゲルを、噴出、噴霧、又は磨くことによって達成されてもよい。前述の説明は、物質の非常に広範な階級に適用するが、特定の材料が摩擦電気発生装置を遮断するのに特に有効であること、即ち、通常の手洗い石鹸、生理食塩水、及び電極ゲルが見出された。
【００８０】
潤滑油などの非導電体はまた、摩擦電気発生装置の表面を遮断するために検査された。これらは、油がどれだけ乾燥し又は低導電性であるかによって電位を変えた。乾燥し又は低導電性の油は、水と混合されるか、又は導電性特性を有する油より有効性が低くかった。３マイクロメートルのアルミニウムフレークと混合された油は、非常に有効な遮断剤を構成するが、伝導機構が水と同様にイオン伝導率ではなくアルミニウム粒子間の静電結合であるように見受けられるため、電位を完全に抑制しない。これらの調製物のいずれかの中の水が蒸発するとすぐ、摩擦電気発生装置は、その元の電位に戻り、電気ノイズを再開する。
【００８１】
あるいは、管の外表面は、金属ロータ２１４との機械的接触が本質的にメタル−オン−メタルであるように、導電体でコーティングされてもよい。インジウムスズ酸化物が提案される。管をアルミニウム箔で包むことは、接触点が箔上の金属ローラであるように、摩擦帯電を完全に取り除く。
【００８２】
あるいは、管のプラスチック材料に帯電防止化学添加物、例えば、金属粒子を含浸させることは、管壁がわずかに導電性であるように、摩擦電気発生装置を短絡する。これらの化学添加物は、それがわずかに導電性であるように、プラスチック表面又は体積で結合するように水分子を引き付ける親水性である傾向がある。
【００８３】
更にあるいは、「帯電防止」化学添加物を管の外表面に添加することもまた有効である。
【００８４】
当業者であれば、本発明は、上記に具体的に示し、説明したものに限定されない点は認識されるところであろう。むしろ、本発明の範囲は、上記に述べた異なる特性の組み合わせ及び一部の組み合わせ、並びに上記の説明文を読むことで当業者には想到されるであろう、従来技術ではない変形及び改変をも含むものである。
【００８５】
〔実施の態様〕
（１）  カテーテル法システムであって、
生存被験者の心臓への挿入に適合された可撓性カテーテルであって、遠位部分と、該遠位部分で前記カテーテルから出るように導電性流体を通すためのルーメンとを有し、該ルーメンが、洗浄ポンプに接続可能であり、それと流体連通を形成する、可撓性カテーテルと、
前記導電性流体を前記カテーテルに供給するために前記ルーメンに接続された流体リザーバと、
前記心臓内の電気活動を監視するために前記被験者に接続可能な心電図回路であって、入力部を有する、心電図回路と、
前記被験者と接触する電極に前記流体リザーバの前記導電性流体を結合する導電性ケーブルと、を備える、システム。
（２）  前記カテーテルが、前記遠位部分上に配設されたマッピング電極を有し、前記電極が、前記カテーテル上で前記マッピング電極の近位に位置する、実施態様１に記載のシステム。
（３）  前記電極が、前記被験者の中に導入される第２のカテーテル上に位置する、実施態様１に記載のシステム。
（４）  前記カテーテルが、吸気口を有し、コネクタが、前記吸気口で前記導電性流体と電気的に接触し、かつ前記導電性流体を患者の接地点（patient ground）に接続する、実施態様１に記載のシステム。
（５）  前記導電性ケーブルが、前記洗浄ポンプの下流で前記導電性流体に電気的に接続される、実施態様１に記載のシステム。
【００８６】
（６）  前記導電性ケーブルが、金属的に遮蔽されたケーブルである、実施態様１に記載のシステム。
（７）  カテーテル法システムであって、
生存被験者の心臓への挿入に適合された可撓性カテーテルであって、遠位部分と、該遠位部分で前記カテーテルから出るように導電性流体を通すためのルーメンとを有する、可撓性カテーテルと、
前記導電性流体を前記カテーテルに供給するために油圧管路によって前記ルーメンに接続された流体リザーバと、
前記導電性流体を前記カテーテルの前記ルーメンに推進させるためのポンプであって、フレームと、前記油圧管路に作用する回転要素とを有する、ポンプと、
前記油圧管路内の前記導電性流体と前記回転要素との間の電気的接続を形成する導電性ケーブルと、を備える、システム。
（８）  前記回転要素が、金属製である、実施態様７に記載のシステム。
（９）  前記回転要素が、セラミックから形成される、実施態様７に記載のシステム。
（１０）  前記回転要素が、ポリマーから形成される、実施態様７に記載のシステム。
【００８７】
（１１）  前記回転要素が、アセタールホモポリマーから形成される、実施態様７に記載のシステム。
（１２）  前記導電性ケーブルが、前記ポンプの前記フレームに接続する、実施態様７に記載のシステム。
（１３）  前記導電性ケーブルが、前記ポンプの前記回転要素に接続する、実施態様７に記載のシステム。
（１４）  前記回転要素が、非導電性である、実施態様７に記載のシステム。
（１５）  前記導電性流体との前記電気的接続が、前記ポンプから下流にある、実施態様７に記載のシステム。
【００８８】
（１６）  前記導電性流体との前記電気的接続が、前記ポンプから上流にある、実施態様７に記載のシステム。
（１７）  前記油圧管路の外表面の一部分が、帯電防止化学物質でコーティングされ、前記一部分が、前記外表面を前記ポンプの前記回転要素と接触させる、実施態様７に記載のシステム。
（１８）  前記油圧管路の外表面の一部分が、石鹸水、生理食塩水、及び水からなる群から選択される帯電防止化学物質でコーティングされ、前記一部分が、前記外表面を前記ポンプの前記回転要素と接触させる、実施態様７に記載のシステム。
（１９）  前記油圧管路の外表面の一部分が、導電体でコーティングされ、前記一部分が、前記外表面を前記ポンプの前記回転要素と接触させる、実施態様７に記載のシステム。
（２０）  電気活動を監視するための方法であって、
導電性流体のリザーバを蠕動ポンプに接続する工程であって、前記蠕動ポンプが、回転要素と、フレームとを有し、前記蠕動ポンプが、油圧管路を通って前記導電性流体を流れさせるように前記油圧管路に力を及ぼす、工程と、
心電図回路を被験者に接続する工程と、
前記導電性流体と前記蠕動ポンプとの間の電気的接続を形成する工程と、
前記リザーバから前記被験者の中に前記導電性流体を流れさせるように、前記蠕動ポンプを動作させる工程と、
前記蠕動ポンプの動作中に、前記心電図回路で前記被験者の心臓内の電気活動を監視する工程と、を含む、方法。
【００８９】
（２１）  前記電気的接続が、前記蠕動ポンプの前記フレームと形成される、実施態様２０に記載の方法。
（２２）  前記電気的接続が、前記蠕動ポンプの前記回転要素と形成される、実施態様２０に記載の方法。
（２３）  前記回転要素が、金属製である、実施態様２０に記載の方法。
（２４）  前記回転要素が、非導電性である、実施態様２０に記載の方法。
（２５）  前記油圧管路の一部分が、導電体でコーティングされ、前記一部分を前記回転要素と接触させる工程を更に含む、実施態様２０に記載の方法。
【００９０】
（２６）  前記導電体が、インジウムスズ酸化物である、実施態様２５に記載の方法。
（２７）  前記導電体が、アルミニウム箔である、実施態様２５に記載の方法。
（２８）  前記油圧管路に、帯電防止化学物質が含浸される、実施態様２０に記載の方法。
（２９）  前記油圧管路の一部分の外表面が、液体水及びイオン性界面活性剤を含有する材料でコーティングされ、前記一部分を前記回転要素と接触させる工程を更に含む、実施態様２０に記載の方法。
（３０）  前記材料が、手洗い石鹸、生理食塩水、油水混合物、及び電極ゲルからなる群から選択される、実施態様２９に記載の方法。
【００９１】
（３１）  前記油圧管路の一部分には、帯電防止化学物質が含浸され、前記一部分を前記回転要素と接触させる工程を更に含む、実施態様２０に記載の方法。
（３２）  前記油圧管路の外表面の一部分が、帯電防止化学物質でコーティングされ、前記一部分を前記回転要素と接触させる工程を更に含む、実施態様２０に記載の方法。
【図１】
2015006344.tif 000004
【図２】
2015006344.tif 000005
【図３】
2015006344.tif 000006
【図４】
2015006344.tif 000007
【図５】
2015006344.tif 000008
【図６】
2015006344.tif 000009
【図７】
2015006344.tif 000010
【図８】
2015006344.tif 000011
【図９】
2015006344.tif 000012
【外国語明細書】
2015006344000001.pdf